(57)【要約】【課題】表示画像におけるフリッカを常に低減することが可能な撮像装置及びこのような画像表示方法を提供すること。【解決手段】ライブビュー動作時の表示フレームレートを９０ｆｐｓ〜１２０ｆｐｓに設定する。表示フレームレートを９０ｆｐｓ〜１２０ｆｐｓとすることにより、ライブビュー動作時の撮像によって得られる撮像画像データにフリッカが存在していてもそのフリッカの表示への影響を低減することが可能である。【選択図】      図２
2009272813.tif 000002
【特許請求の範囲】
【請求項１】
被写体を撮像し、撮像画像を取得する撮像画像取得手段と、
前記撮像画像を表示する表示手段と、
前記表示手段による前記撮像画像の表示フレームレートを９０ｆｐｓ以上、１２０ｆｐｓ以下に設定する制御手段と、
を具備することを特徴とする撮像装置。
【請求項２】
前記撮像画像に発生するフリッカを検出するフリッカ検出手段をさらに具備し、
前記制御手段は、前記フリッカ検出手段が動作しているときに、前記撮像画像の表示フレームレートを９０ｆｐｓ以上、１２０ｆｐｓ以下に設定することを特徴とする請求項１に記載の撮像装置。
【請求項３】
前記制御手段は、前記撮像装置の電源の残量を検出し、該検出した電源の残量に応じて前記撮像画像の表示フレームレートを設定することを特徴とする請求項２に記載の撮像装置。
【請求項４】
前記撮像画像取得手段の周辺温度を測定する温度測定手段をさらに具備し、
前記制御手段は、前記測定された周辺温度に応じて前記撮像画像の表示フレームレートを設定することを特徴とする請求項２に記載の撮像装置。
【請求項５】
被写体を撮像して撮像画像を取得し、
前記撮像画像を表示させる際の表示フレームレートを９０ｆｐｓ以上、１２０ｆｐｓ以下に設定し、
前記設定された表示フレームレートで前記撮像画像を表示する、
ことを特徴とする画像表示方法。
【発明の詳細な説明】
【技術分野】
【０００１】
本発明は、蛍光灯等の光源下において撮像画像を表示することが可能な撮像装置及びこのような画像表示方法に関する。
【背景技術】
【０００２】
蛍光灯下でデジタルカメラを用いた撮影を行った場合、撮像画像にフリッカ（flicker）と呼ばれる明滅が発生する場合があることが知られている。このフリッカは、蛍光灯が電源周波数の２倍の周波数で明滅しているために発生する現象である。このフリッカを対策するための技術としては、例えば特許文献１や特許文献２の手法が知られている。
【０００３】
特許文献１では、撮像素子の撮像フレームレート（撮像の間隔）と電子シャッタ値とを適切に組み合わせることでフリッカ成分を低減している。具体的には、蛍光灯下での撮影と判定された場合に、電子シャッタ値を蛍光灯の明滅周期（フリッカ周波数）の整数倍に設定するようにしている。
【０００４】
また、特許文献２では、ＡＦ制御の前にフリッカの有無を検出し、フリッカが検出された場合には、フリッカ周波数の整数倍に撮像フレームレートを設定してＡＦ評価値を算出している。さらに、フリッカ周波数よりも短い周期でコントラストＡＦ制御のサンプリングをおこなっている。これにより、コントラストＡＦにかかる時間を短縮しつつフリッカ成分を低減している。
【特許文献１】特許第３８２６９０４号公報
【特許文献２】特開２００７−２０６６０６号公報
【発明の開示】
【発明が解決しようとする課題】
【０００５】
ここで、特許文献１及び２の手法ではフリッカの有無及びフリッカ周波数を検出している間のフリッカの対策については言及されていない。したがって、カメラの操作者は、フリッカ周波数を検出している間に表示される画像に対してはフリッカを感じることになる。この期間、操作者は不快な気分を感じ、また構図の決定もしづらい。
【０００６】
本発明は、上記の事情に鑑みてなされたものであり、表示画像におけるフリッカを常に低減することが可能な撮像装置及びこのような画像表示方法を提供することを目的とする。
【課題を解決するための手段】
【０００７】
上記の目的を達成するために、本発明の第１の態様による撮像装置は、被写体を撮像し、撮像画像を取得する撮像画像取得手段と、前記撮像画像を表示する表示手段と、前記表示手段による前記撮像画像の表示フレームレートを９０ｆｐｓ以上、１２０ｆｐｓ以下に設定する制御手段とを具備することを特徴とする。
【０００８】
また、上記の目的を達成するために、本発明の第２の態様による画像表示方法は、被写体を撮像して撮像画像を取得し、前記撮像画像を表示させる際の表示フレームレートを９０ｆｐｓ以上、１２０ｆｐｓ以下に設定し、前記設定された表示フレームレートで前記撮像画像を表示することを特徴とする。
【発明の効果】
【０００９】
本発明によれば、表示画像におけるフリッカを常に低減することが可能な撮像装置及びこのような画像表示方法を提供することができる。
【発明を実施するための最良の形態】
【００１０】
以下、本発明の実施形態について説明する。図１は、本発明の一実施形態の撮像装置の一例としてのデジタルカメラの構成を示す図である。図１に示すデジタルカメラは、撮像光学系１０１と、レンズ駆動部１０２と、撮像素子１０３と、撮像タイミングジェネレータ（ＴＧ）１０４と、アナログフロントエンド（ＡＦＥ）回路１０５と、信号処理部１０６と、メモリ１０７と、表示制御部１０８と、電子ビューファインダ（ＥＶＦ）１０９と、表示部１１０と、システムコントローラ１１１と、操作部１１２と、温度センサ１１３と、電源制御部１１４と、バッテリー１１５とを有している。
【００１１】
撮像光学系１０１は、撮像素子１０３に光学像を導くための光学系である。この撮像光学系１０１により、撮像素子１０３に効率良く光学像を取込むことができる。ここで、撮像光学系１０１は、レンズ駆動部１０２の制御の下、その光軸方向に駆動される。また、図１においては図示を省略しているが、撮像光学系１０１の近傍には撮像素子１０３への光の入射量を制御するための絞りが設けられている。さらに、撮像光学系１０１の近傍にはメカシャッタが設けられている。絞りとメカシャッタとにより本露光時の撮像素子１０３の露光量（明るさ）を制御することが可能である。
【００１２】
撮像素子１０３は、撮像光学系１０１を介して取込んだ光学像を、光電変換により、電気信号（アナログ撮像画像信号）に変換する。ここで、撮像素子１０３としては、ＣＣＤセンサやｘｙアドレス走査型ＣＭＯＳセンサ等の光電変換素子を用いることが可能である。また、撮像素子１０３の構成としては、単板式の撮像素子の前面にベイヤ配列のカラーフィルタを設けたものや、３板式の撮像素子を用いたものがある。以下の例では、撮像素子１０３が単板式＋ベイヤ配列タイプのカラーフィルタのＣＭＯＳセンサであるとする。
【００１３】
また、撮像素子１０３は、電子シャッタ機能を有している。電子シャッタの方式は、グローバルシャッタ方式でもローリングシャッタ方式でも良い。本実施形態では例としてグローバルシャッタ方式を用いる。ローリングシャッタ方式の場合には縞模様状のフリッカが発生しうるが、撮像画像間でのフリッカは発生しない。つまり、面フリッカを低減させることができる。
【００１４】
撮像ＴＧ１０４は、システムコントローラ１１１の制御に従って撮像素子１０３の撮像動作を実行するための同期信号を撮像素子１０３に供給する。
【００１５】
ＡＦＥ回路１０５は、撮像素子１０３において得られたアナログ撮像画像信号に対してＡＦＥ処理を行う。このＡＦＥ処理は、ノイズ除去のための相関二重サンプリング（ＣＤＳ）処理、ゲイン調整処理（ＡＧＣ）、Ａ／Ｄ変換処理等がある。
【００１６】
信号処理部１０６は、ＡＦＥ回路１０５で得られる撮像画像データに対して様々な画像処理を行う。この画像処理としては、例えば、ＡＦＥ回路１０５からベイヤ配列のデータとして出力される撮像画像データから、補間によって１画素が３成分からなる撮像画像データを生成するデモザイキング処理（カラー化処理、ＲＧＢ化処理等とも呼ばれる）、撮像画像データにおける色バランスを調整するためのホワイトバランス（white balance）処理、撮像光学系１０１の収差によって生じる撮像画像データにおける歪みを補正する歪み補正処理、撮像画像データの階調を表示等に適するように補正する階調補正処理、ガマットマッピング等の色補正、撮像画像データにおけるエッジ部の強調処理等が含まれる。また、表示用の撮像画像データの生成時には、信号処理部１０６は、スケーリング（リサイズとも呼ばれる。スケーリングの手法は特に限定されるものではなく、線形補間法、バイキュービック法、NEDI法 、Nearest Neighbor （最近傍）等が用いられる）、スケーリングの際に発生する折返し歪み（aliasing）を補正するためのローパスフィルタ処理等も行う。
【００１７】
さらに、信号処理部１０６は、フリッカ検出部１０６ａを有している。フリッカ検出部１０６ａは、撮像画像データに基づく画像表示の際にフリッカが発生するかどうかを識別する。フリッカが発生するかどうかを識別する手法としては、例えば撮影が蛍光灯下で行われたかを識別する手法がある。撮影が蛍光灯下で行われたかどうかを識別するための手法としては、例えば撮影画像データの色温度を識別する手法がある。
【００１８】
また、信号処理部１０６は、本露光時に得られた撮像画像データをＪＰＥＧ方式等の圧縮方式に従って圧縮処理することも行う。この圧縮された撮像画像データは、図示しないメモリカード等の所望の記録メディアに保存することが可能である。なお、撮像画像データは必ずしも圧縮して記録する必要はない。即ち、本実施形態の撮像装置は、ＡＦＥ回路１０５から出力される撮像画像データを画像処理せずに記録メディアに保存するＲａｗ画像保存を行うことも可能である。また、信号処理部１０６は、記録メディアに保存された圧縮撮像画像データの伸長を行い、再生用の画像を生成することも行う。
【００１９】
この他に、信号処理部１０６は、ＡＦＥ回路１０５から出力される撮像画像データを使って、撮像光学系１０１の合焦状態を制御するために必要な演算も行う。即ち、信号処理部１０６は、ＡＦ（Auto Focus）制御のために、撮像画像データからコントラストを抽出する演算を行う。システムコントローラ１１１は、信号処理部１０６において逐次抽出されるコントラストが高くなるように、レンズ駆動部１０２を制御しつつ、撮像光学系１０１を合焦にするように駆動させる。
【００２０】
なお、ここで示したＡＦ方式は、いわゆる「コントラスト方式」である。しかしながら、本実施形態の撮像装置によるＡＦ方式はコントラスト方式に限らず、位相差方式であっても良い。位相差方式は、位相差センサを使用し、位相差センサから対をなして出力される信号の位相差を検出し、この位相差に基づいて撮像光学系１０１を合焦するように制御する方式である。また、ＡＦではなく、ユーザが手動で撮像光学系１０１を合焦させるＭＦ(Manual Focus）を用いるようにしても良い。
【００２１】
また、信号処理部１０６は、ＡＥ(Auto Exposure）のために必要な演算も行う。即ち、信号処理部１０６は、撮像画像データから明るさ成分を検出する。システムコントローラ１１１は、信号処理部１０６によって抽出された明るさから、本露光時に撮像素子１０３を介して得られる撮像画像の明るさが適切な明るさとなるように、撮像素子１０３の電子シャッタ値の制御、ＡＦＥ回路１０５におけるＡＧＣの際のゲインの制御、撮像素子１０３の撮像フレームレートを制御したりする。なお、ここでは撮像画像データに基づいてＡＥを行う例について示したが、別途に、ＡＥセンサを設け、このＡＥセンサの出力に基づいてＡＥ処理を行うようにしても良い。
【００２２】
なお、信号処理部１０６は、例えば、ＡＳＩＣ（application specific integrated circuit）やＦＰＧＡ（Field Programmable Gate Array）によって構成できる。しかしながら、これら以外のハードウエア、ソフトウエア、ファームウエア、またはこれらの組み合わせを使って構成しても構わない。
【００２３】
メモリ１０７は、例えばＳＤＲＡＭ（Synchronous Dynamic Random Access Memory）によって構成されている。このメモリ１０７は、信号処理部１０６における画像処理等の際に、撮像画像データ等の各種データを一時保存する。
【００２４】
表示制御部１０８は、ＥＶＦ１０９、表示部１１０における画像表示のために必要な駆動信号を生成する処理等を行う。また、表示制御部１０８は、信号処理部１０６において表示用の画像が生成された場合には、この表示用の画像をＥＶＦ１０９又は表示部１１０に転送することも行う。
【００２５】
ＥＶＦ１０９は、表示部１０９ａと、接眼光学系１０９ｂとを有している。表示部１０９ａは、例えばデジタルカメラの背面に設けられ、表示制御部１０８から転送されてきた表示画像を表示制御部１０８からの駆動信号に従った所定の表示フレームレート（表示間隔）で表示する。接眼光学系１０９ｂは、表示部１０９ａに表示されたファインダ画像を操作者が観察可能なように拡大する。また、表示部１１０は、表示制御部１０８から転送されてきた表示画像を表示制御部１０８からの駆動信号に従った所定の表示フレームレートで表示する。表示部１０９ａ、表示部１１０ではそれぞれに対応して転送されてくる表示画像に応じた変調が行われる。そして、ＥＶＦ系では接眼光学系１０９ｂを経て操作者が画像を観察することができる。また、表示部１１０では、直視型で操作者が画像を観察することができる。
【００２６】
撮像素子１０３を介して得られる撮像画像データに基づいて表示部１０９ａ又は１１０に逐次画像表示を行うことにより、表示部１０９ａ又は１１０に表示される画像により被写体の観察を行うことが可能である。以下、このような表示動作をライブビュー動作という。
【００２７】
ここで、表示部としては、バックライトが必要な透過型液晶ディスプレイ（ＬＣＤ）、反射型ＬＣＯＳ（Liquid-crystal On Silicon）や自発光タイプのＥＬ素子（有機ＥＬ）等、種々のものを用いることが可能である。また、図では省略しているが、各々の表示部を照射するための無偏光の光を発光するバックライト（白色ＬＥＤを用いたもの等）や、適切に表示部を照射するための照明光学系、表示部に入射される光を直線偏光するための偏光板等を持たせるようにしても良い。なお、照明光学系は十分な明るさがあれば必要ではなく、偏光板のみでも良い。
【００２８】
また、ＥＶＦ１０９と表示部１１０とは両方同時に表示可能としても良いが、省エネルギー化のため、ここではどちらか一方を表示させるようにする。この表示切替は、システムコントローラ１１１によって行われるものである。例えば、システムコントローラ１１１は、操作者による操作部１１２の操作を受けた場合に表示切替を行う。また、視線検出部を例えばＥＶＦ１０９の接眼光学系１０９ｂの内部に設けておけば、操作者の視線がＥＶＦ１０９に向いているときにＥＶＦ１０９を用いた表示を行い、それ以外には表示部１１０を用いた表示を行うようにすることもできる。また、視線検出に限らず、操作者がＥＶＦ１０９を覗いているかどうかを検知し、この検知結果により表示切替を行うようにしても良い。
【００２９】
システムコントローラ１１１は、本撮像装置の全体的なコントロールを行う。例えば、前述したＡＥやＡＦの際の各種の制御、信号処理部１０６における画像処理に必要な各種の演算の制御や、撮像ＴＧ１０４への命令（例えば撮像フレームレートの切替、電子シャッタの制御等）、表示制御部１０８への命令（ＥＶＦ１０９と表示部１１０の表示切替、表示フレームレートの切替、バックライトの光源の制御等）、操作部１１２の操作を受けた各種の設定（例えば、画質モードの設定、ＩＳＯ感度の設定、ホワイトバランスの設定）を行う。また、システムコントローラ１１１は、記録メディアの空き情報から撮影可能枚数を算出したり、バッテリー１１５の残量を検出すること等も行う。
【００３０】
操作部１１２は、操作者がシステムコントローラ１１１に対して各種の指示を行うための各種の操作部材である。操作部１１２は、例えば操作者が撮影実行の指示を行うためのレリーズボタン、撮像装置の電源のオンオフを切り替えるための電源スイッチ等が含まれる。システムコントローラ１１１は、操作部１１２の操作状態を検出するためのインタフェース（スイッチ検出手段）を有しており、操作部１１２の操作がなされた場合に、必要に応じてＧＵＩ(Graphical User Interface)画像を生成し、この生成したＧＵＩ画像を信号処理部１０６へ転送する。信号処理部１０６は、ＧＵＩ画像に対して画像処理を施した後、表示制御部１０８に転送する。表示制御部１０８は、ＧＵＩ画像を表示部１１０に転送する。このようにして表示部１１０にＧＵＩ画像を表示させる。なお、ＧＵＩ画像はシステムコントローラ１１１内のメモリに格納しておいても良いし、システムコントローラ１１１に接続された図示しないメモリ内に格納しておいても良い。
【００３１】
温度センサ１１３は、例えばサーミスタ等から構成され、撮像素子１０３の周辺温度を検出する。
【００３２】
電源制御部１１４は、バッテリー１１５からの電力を図１に示す各ブロックを起動するために必要な電力に変換して供給する。
【００３３】
以下、図１に示すデジタルカメラの動作について説明する。図２は、図１に示すデジタルカメラのメイン動作について示すフローチャートである。この図２の動作は、主にシステムコントローラ１１１によって制御される。
【００３４】
操作者は、バッテリー１１５を撮像装置にセットした後、操作部１１２の電源スイッチをオンとする。システムコントローラ１１１は、電源スイッチのオンを検出すると、撮像装置の各ブロックの電源を順次オンするように電源制御部１１４を制御する。以上の動作の後、図２の処理が開始される。
【００３５】
図２の処理が開始されると、システムコントローラ１１１は、バッテリー１１５の残量の測定を行う（ステップＳ９８）。
【００３６】
バッテリー１１５の残量の測定を行った後、システムコントローラ１１１は、各ブロックに対してイニシャライズ命令を出す（ステップＳ１００）。これにより、図１に示す各ブロックがイニシャライズされる。そして、各ブロックが動作を開始する。また、このイニシャライズによって、撮像素子１０３の撮像フレームレートがＦｉｍｇ１に、ＥＶＦ１０９又は表示部１１０の表示フレームレートがＦｄｉｓｐ１に設定される。
【００３７】
図３（ａ）は、撮像フレームレートＦｉｍｇ１、撮像フレームレートＦｉｍｇ１に対応したライブビュー動作時の電子シャッタ値、表示フレームレートＦｄｉｓｐ１の例を示している。本実施形態においては、後述するフリッカの有無の識別の間の表示画像のフリッカが目立たなくなるように、表示フレームレートＦｄｉｓｐ１を設定する。
【００３８】
本出願人により、どの程度の表示フレームレートになるとフリッカが目立たなくなるかの実験を行ったところ、図４に示す結果を得た。なお、実験は、前もって撮像しておいたフリッカのない撮像画像に対して、予め蛍光灯の点滅による変動レベルを測定しておき、この測定結果を撮像画像に対して重畳させて擬似的にフリッカを発生させることにより行った。
【００３９】
図４に示すように、フリッカが目立たなくするには、表示フレームレートを最低でも９０ｆｐｓにする必要があることが分かる。また、表示は人間が認識できれば良いものであるから、表示フレームレートをある程度以上早くしてもあまり意味はない。ここで、表示フレームレートが１２０ｆｐｓ程度を超えると撮像装置のパワーバランスが取れなくなるので、表示フレームレートは９０ｆｐｓ以上、１２０ｆｐｓ以下とすることが望ましい。
【００４０】
図４の結果を踏まえ、図３（ａ）では、バッテリー１１５の残量に応じて表示フレームレートを９０ｆｐｓ、１００ｆｐｓ、１２０ｆｐｓの何れかに設定している。具体的には、バッテリー１１５の残量が満状態の１００〜７０％の場合に１２０ｆｐｓに設定し、バッテリー１１５の残量が満状態の７０〜３０％の場合に１００ｆｐｓに設定し、バッテリー１１５の残量が満状態の３０％未満の場合に９０ｆｐｓに設定している。また、図３（ａ）においては、撮像フレームレートＦｉｍｇ１を例えば６０ｆｐｓに設定している。さらに、１フレーム分の画像の撮像時の電子シャッタ値を１/６０秒に設定している。
【００４１】
ここで、図３（ａ）の例の場合、撮像フレームレートよりも表示フレームレートのほうが大きいので、表示のタイミングでＥＶＦ１０９又は表示部１１０に撮像画像データが転送されてこない期間が生じる。この期間では例えば黒画面の表示を行うようにする。
【００４２】
イニシャライズ命令の後、システムコントローラ１１１は、信号処理部１０６のフリッカ検出部１０６ａの識別結果から、表示画像にフリッカが生じているかどうか、即ち撮像画像データが蛍光灯下で得られたものかどうかを判定する（ステップＳ１０２）。
【００４３】
ステップＳ１０２の判定において、撮影画像データが蛍光灯下で得られたものでない場合には、フリッカが生じていないと判定される。この場合には、システムコントローラ１１１は、撮像フレームレートをＦｉｍｇ２に、表示フレームレートをＦｄｉｓｐ２に設定する（ステップＳ１０４）。図３（ｂ）は、撮像フレームレートＦｉｍｇ２、撮像フレームレートＦｉｍｇ２に対応した電子シャッタ値、表示フレームレートＦｄｉｓｐ２の例を示している。図３（ｂ）においては、撮像フレームレートＦｉｍｇ２を例えば６０ｆｐｓに設定している。また、１フレーム分の画像の撮像時の電子シャッタ値を１/６０秒に設定している。さらに、表示フレームレートＦｄｉｓｐ２を例えば６０ｆｐｓに設定している。ここで、撮像フレームレート、電子シャッタ値、表示フレームレートは図３（ｂ）に示したものに限らず、任意の値として良い。ただし、実際には撮像フレームレートと表示フレームレートとは整数比の関係とすることが望ましい。このようにすることで撮像素子１０３における撮像動作とＥＶＦ１０９又は表示部１１０における表示動作とを同期させることが可能である。また、撮像動作と表示動作とが常に同期するので、撮像画像データを取得する間隔も一定間隔とすることが可能である。
【００４４】
また、ステップＳ１０２の判定において、撮影画像データが蛍光灯下で得られたものである場合には、フリッカが生じていると判定される。この場合には、フリッカの周波数を識別するステップに移行する。そして、システムコントローラ１１１は、蛍光灯の電源の周波数が東日本地域の５０Ｈｚであるか、西日本地域の６０Ｈｚであるかを判定する（ステップＳ１０６）。
【００４５】
ステップＳ１０６の判定において、蛍光灯の電源周波数が６０Ｈｚである場合に、システムコントローラ１１１は、撮像フレームレートをＦｉｍｇ３に、表示フレームレートをＦｄｉｓｐ３に設定する（ステップＳ１０８）。図３（ｃ）は、撮像フレームレートＦｉｍｇ３、撮像フレームレートＦｉｍｇ３に対応した電子シャッタ値、表示フレームレートＦｄｉｓｐ３の例を示している。図３（ｃ）においては、撮像フレームレートＦｉｍｇ３を例えば６０ｆｐｓに設定している。また、１フレーム分の画像の撮像時の電子シャッタ値を１/１２０秒に設定している。さらに、表示フレームレートは例えば６０ｆｐｓに設定している。即ち、電源周波数が６０Ｈｚの場合、蛍光灯が電源周波数の２倍の周波数である１２０Ｈｚで明滅を繰り返すことになる。したがって、電子シャッタ値を１/１２０秒とすれば、蛍光灯が明状態のときの撮像画像データを得ることが可能である。
【００４６】
また、ステップＳ１０６の判定において、蛍光灯の電源周波数が５０Ｈｚである場合に、システムコントローラ１１１は、撮像フレームレートをＦｉｍｇ４に、表示フレームレートをＦｄｉｓｐ４に設定する（ステップＳ１１０）。図３（ｄ）は、撮像フレームレートＦｉｍｇ４、撮像フレームレートＦｉｍｇ４に対応した電子シャッタ値、表示フレームレートＦｄｉｓｐ４の例を示している。図３（ｄ）においては、撮像フレームレートＦｉｍｇ４を例えば６０ｆｐｓに設定している。また、１フレーム分の画像の撮像時の電子シャッタ値を１/１００秒に設定している。さらに、表示フレームレートは例えば６０ｆｐｓに設定している。即ち、電源周波数が５０Ｈｚの場合、蛍光灯が電源周波数の２倍の周波数である１００Ｈｚで明滅を繰り返すことになる。したがって、電子シャッタ値を１/１００秒とすれば、蛍光灯が明状態のときの撮像画像データを得ることが可能である。
【００４７】
ここで、ステップＳ１０８とステップＳ１１０において、蛍光灯の電源周波数（フリッカ周波数）の違いにより設定が異なるのは、撮像素子１０３の電子シャッタ値である。したがって、ステップＳ１０８とステップＳ１１０の撮像フレームレートと表示フレームレートは任意の値とすることができる。
【００４８】
フリッカの有無に応じて撮像フレームレート、電子シャッタ値、表示フレームレートの設定を行った後、システムコントローラ１１１は、撮像画像データの色温度の変化や撮像画像データの明るさの変化から、ライブビュー動作の条件を変更する必要があるかどうかを判定する（ステップＳ１１２）。ステップＳ１１２の判定において、色温度や明るさが急激に変化した場合には、ライブビュー動作の条件を変更する必要があるとする。この場合に、システムコントローラ１１１は、ステップＳ９８以後の処理を実行して、撮像フレームレート、電子シャッタ値、表示フレームレートの再設定を行う。
【００４９】
一方、ステップＳ１１２の判定において、ライブビュー動作の条件を変更が必要ない場合、システムコントローラ１１１は、操作部１１２のレリーズボタンが半押しされたかどうかを判定する（ステップＳ１１４）。操作者は、ライブビュー動作によってＥＶＦ１０９又は表示部１１０に表示される画像を見ながら構図を決定する。そして、構図の決定後、操作者はレリーズボタンを半押しする。これを受けてシステムコントローラ１１１はレリーズボタンの半押しを検出する。ステップＳ１１４の判定において、レリーズボタンの半押しが検出されていない場合に、システムコントローラ１１１はステップＳ１１２の判定を再び行う。一方、ステップＳ１１４の判定において、レリーズボタンの半押しが検出された場合に、システムコントローラ１１１はＡＥ及びＡＦ制御を行う（ステップＳ１１６）。即ち、システムコントローラ１１１は、撮像画像データの明るさ成分に従って本露光時における撮像画像データの明るさを適正とするようなメカシャッタ値等を決定するとともに、撮像画像データから得られるコントラストに従って撮像光学系１０１のフォーカス調整を行う。
【００５０】
ＡＥ、ＡＦ制御の後、システムコントローラ１１１は、操作部１１２のレリーズボタンが全押しされたかどうかを判定する（ステップＳ１１８）。ステップＳ１１８の判定において、レリーズボタンの全押しが検出されていない場合に、システムコントローラ１１１はステップＳ１１８の判定を再び行う。一方、ステップＳ１１８の判定において、レリーズボタンの全押しが検出された場合には、本露光状態となったので、システムコントローラ１１１は、ライブビュー動作を終了させる（ステップＳ１２０）。このとき、ＥＶＦ１０９又は表示部１１０は、レリーズボタンが全押しされる直前まで表示されていた撮像画像を表示し続ける。その後、システムコントローラ１１１は、絞りやメカシャッタを制御しつつ、静止画撮像を行う（ステップＳ１２２）。
【００５１】
静止画撮像後、システムコントローラ１１１は、静止画撮像により撮像素子１０３を介して得られる撮像画像データを信号処理部１０６において画像処理した後、画像処理によって得られる圧縮撮像画像データを図示しない記録メディアに記録する。また、静止画撮像により撮像素子１０３を介して得られる撮像画像データをレックビュー画像としてＥＶＦ１０９又は表示部１１０に表示させる（ステップＳ１２４）。
【００５２】
静止画撮像により得られた撮像画像データを記録メディアに記録した後、システムコントローラ１１１はライブビュー動作を再開する（ステップＳ１２６）。
【００５３】
以上説明したような本実施形態によれば、フリッカ検出部１０６ａによってフリッカの有無を識別している間及び蛍光灯の電源周波数を識別している間の表示フレームレートを９０ｆｐｓ以上としているので、これらの識別中においてＥＶＦ１０９又は表示部１１０に表示される画像中のフリッカを低減することが可能である。これにより、操作者は、不快に気分を感じることなく構図の決定を行うことができる。
【００５４】
以上実施形態に基づいて本発明を説明したが、本発明は上述した実施形態に限定されるものではなく、本発明の要旨の範囲内で種々の変形や応用が可能なことは勿論である。
【００５５】
例えば、図２の例では、バッテリー１１５の残量及び温度の測定をステップＳ９８において行っている。しかしながら、バッテリー１１５の残量及び温度の測定をポーリング的（例えば３０秒毎）に行うようにしても良い。また、ステップＳ１１２におけるライブビュー動作の条件を変更する必要があるかどうかの判定は、撮像画像データの色温度の変化や撮像画像データの明るさの変化に基づいて行っている。これらに加えてバッテリー１１５の残量及び温度の測定を行ってから所定時間が経過したかどうかを判定し、所定時間が経過した場合に、ステップＳ９８以後の処理を行うようにしても良い。こうすることにより、バッテリー１１５の残量に応じた表示フレームレートの設定を適時行うことができる。したがって、省エネルギー化につながる。
【００５６】
また、図２の例では、ステップＳ１００における表示フレームレートの設定をバッテリー１１５の残量に従って行っている。しかしながら、必ずしも表示フレームレートの設定をバッテリー１１５の残量に従って行う必要はない。例えば、撮像素子１０３の近傍の温度によって設定するようにしても良い。表示フレームレートを高くするとフリッカが目立たなくなる反面、撮像素子１０３の近傍の温度も上昇してしまう場合があるため、撮像素子１０３の温度がある温度以上となった場合には表示フレームレートを低くするようにする。この場合であっても、表示フレームレートが９０ｆｐｓ以下とならないようにする。
【００５７】
また、図２の例では、ステップＳ１００において常に表示フレームレートの変更を行っているが、フリッカが発生すると考えられる状況でのみ表示フレームレートの変更を行うようにしても良い。
【００５８】
例えば、信号処理部１０６には、ホワイトバランス機能として、オートホワイトバランス機能とプリセットホワイト機能とを有しているものがある。オートホワイトバランス機能は、撮像毎に得られる撮像画像データからホワイトバランス処理を行うための補正値を逐次算出してホワイトバランス処理を行う機能である。一方、プリセットホワイトバランス機能は、光源毎に予め補正値を算出しておき、撮像時には、操作者によって選択された光源に対応した補正値に従ってホワイトバランス処理を行う機能である。即ち、プリセットホワイトバランス機能を用いた場合であって、操作者が光源として蛍光灯を選択した場合には撮影が蛍光灯下で行われていると考えられる。このような場合に、バッテリー１１５の残量や撮像素子１０３の周辺温度に応じて、表示フレームレートＦｄｉｓｐ１を９０ｆｐｓ、１００ｆｐｓ、１２０ｆｐｓの何れかに設定するようにしても良い。このようにすれば、不必要に表示フレームレートを高くすることがないので、さらなる省エネルギー化につながる。
【００５９】
また、ライブビュー動作時の電子シャッタ値が１/１００秒又は１/１２０秒以外に設定されている場合には、バッテリー１１５の残量や撮像素子１０３の周辺温度に応じて、表示フレームレートＦｄｉｓｐ１を９０ｆｐｓ、１００ｆｐｓ、１２０ｆｐｓの何れかに設定するようにしても良い。このようにすれば、フリッカの有無の検出及びフリッカ周波数の検出は不要となる。
【００６０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００６１】
【図１】本発明の一実施形態の撮像装置の一例としてのデジタルカメラの構成を示す図である。
【図２】図１に示すデジタルカメラのメイン動作について示すフローチャートである。
【図３】撮像フレームレート、撮像フレームレートに対応した電子シャッタ値、表示フレームレートの設定例を示す図である。
【図４】フリッカが目立たなくなる表示フレームレートを調べた実験結果を示す図である。
【符号の説明】
【００６２】
１０１…撮像光学系、１０２…レンズ駆動部、１０３…撮像素子、１０４…撮像タイミングジェネレータ（ＴＧ）、１０５…アナログフロントエンド（ＡＦＥ）回路、１０６…信号処理部、１０６ａ…フリッカ検出部、１０７…メモリ、１０８…表示制御部、１０９…電子ファインダ（ＥＶＦ）、１１０…表示部、１１１…システムコントローラ、１１２…操作部、１１３…温度センサ、１１４…電源制御部、１１５…バッテリー
【図１】
2009272813.tif 000003
【図２】
2009272813.tif 000004
【図３】
2009272813.tif 000005
【図４】
2009272813.tif 000006